(57)【要約】【課題】外観品質を向上させること。【解決手段】枠体２は、長尺状の複数の枠部材が枠組みされた枠体である。複数の枠部材のうち第１の枠部材２１には、当該第１の枠部材２１における長手方向の端部側で当該第１の枠部材２１に対して締結部材Ｓｃ６にて固定される被締結部材６が設けられている。締結部材Ｓｃ６は、第１の枠部材２１の内周面側から取り付けられ、当該第１の枠部材２１とは異なる他の枠部材の小口にて当該内周面側から覆われる。【選択図】図８
2018204355.tif 000002
【特許請求の範囲】
【請求項１】
長尺状の複数の枠部材が枠組みされた枠体であって、
前記複数の枠部材のうち第１の枠部材には、
当該第１の枠部材における長手方向の端部側で当該第１の枠部材に対して締結部材にて固定される被締結部材が設けられ、
前記締結部材は、
前記第１の枠部材の内周面側から取り付けられ、当該第１の枠部材とは異なる他の前記枠部材の小口にて当該内周面側から覆われる
ことを特徴とする枠体。
【請求項２】
前記第１の枠部材は、
長手方向に延在する中空部を有し、
前記被締結部材は、
前記中空部の内部に設けられ、
前記複数の枠部材は、
長手方向に対して斜めに形成された前記小口をそれぞれ有し、当該小口同士を突き合わせて枠組みされ、
前記締結部材は、
前記第１の枠部材の内周面側から前記小口を介して前記中空部の内部に取り付けられる
ことを特徴とする請求項１に記載の枠体。
【請求項３】
請求項１または２に記載の枠体を備える
ことを特徴とする建具。
【発明の詳細な説明】
【技術分野】
【０００１】
本発明は、窓枠等の枠体、及び当該枠体を備える建具に関する。
【背景技術】
【０００２】
従来、長尺状の複数の枠部材が枠組みされた枠体において、当該枠部材に対してネジ等の締結部材にて被締結部材を固定した構造が知られている（例えば、特許文献１参照）。
特許文献１に記載の枠体は、上げ下げ窓に用いられる窓枠である。この窓枠を構成する縦枠の中空部の内部には、補強部材等の被締結部材が設けられている。また、中空部を構成する壁部（見付け面を構成する壁部、あるいは、見込み面を構成する壁部）には、当該中空部の内外を連通する孔が形成されている。そして、中空部の外部から当該孔にネジを挿通して被締結部材に締結することで、当該被締結部材は、縦枠に対して固定される。
【先行技術文献】
【特許文献】
【０００３】
【特許文献１】特開２０１５−２２４４４４号公報
【発明の概要】
【発明が解決しようとする課題】
【０００４】
しかしながら、特許文献１に記載の枠体では、被締結部材を縦枠に対して固定するためのネジが外部から視認可能となり、外観品質が損なわれる、という問題がある。
【０００５】
本発明は、上記実情に鑑みて、外観品質を向上させることができる枠体及び建具を提供することを目的とする。
【課題を解決するための手段】
【０００６】
上記目的を達成するため、本発明に係る枠体は、長尺状の複数の枠部材が枠組みされた枠体であって、前記複数の枠部材のうち第１の枠部材には、当該第１の枠部材における長手方向の端部側で当該第１の枠部材に対して締結部材にて固定される被締結部材が設けられ、前記締結部材は、前記第１の枠部材の内周面側から取り付けられ、当該第１の枠部材とは異なる他の前記枠部材の小口にて当該内周面側から覆われることを特徴とする。
【０００７】
本発明では、第１の枠部材に対して被締結部材を固定するための締結部材は、当該第１の枠部材の内周面側から取り付けられるとともに、当該第１の枠部材とは異なる他の枠部材の小口にて当該内周面側から覆われる。したがって、当該締結部材を隠蔽することができ、枠体の外観品質を向上させることができる。
また、締結部材が枠体の外部に露出している場合には当該露出部位が局部的に温度低下することにより結露し易い構造となるところ、本発明では締結部材が隠蔽されていることにより、結露し難い構造を実現することができる。さらに、締結部材が隠蔽されていることにより、ユーザが誤って当該締結部材を外してしまう虞もない。
さらに、締結部材は、第１の枠部材とは異なる他の枠部材の小口にて隠蔽されるため、枠部材とは別に締結部材を隠蔽する部材を設ける必要がなく、部品点数が少なくなることから、製造コストを低減することができる。
【０００８】
また、本発明は、上述した枠体において、前記第１の枠部材は、長手方向に延在する中空部を有し、前記被締結部材は、前記中空部の内部に設けられ、前記複数の枠部材は、長手方向に対して斜めに形成された前記小口をそれぞれ有し、当該小口同士を突き合わせて枠組みされ、前記締結部材は、前記第１の枠部材の内周面側から前記小口を介して前記中空部の内部に取り付けられることを特徴とする。
本発明では、締結部材は、第１の枠部材の長手方向に対して斜めに形成された小口を介して、当該第１の枠部材の内周面側から中空部の内部に取り付けられる。このため、第１の枠部材に締結部材を挿通するための孔等を形成する必要がなく、加工工数が少なくなることから、製造コストを低減することができる。
【０００９】
本発明に係る建具は、上述した枠体を備えることを特徴とする。
本発明に係る建具によれば、上述した枠体を備えるため、上述した枠体と同様の作用及び効果を奏する。
【発明の効果】
【００１０】
本発明に係る枠体及び建具によれば、外観品質を向上させることができる、という効果を奏する。
【図面の簡単な説明】
【００１１】
【図１】本実施の形態に係る建具を室内側から見た図である。
【図２】建具の上方側を示す縦断面図である。
【図３】上枠を室外側から見た斜視図である。
【図４】遮炎部材における室外側から見て左側の部位を示す斜視図である。
【図５】遮炎部材における室外側から見て右側の部位を示す斜視図である。
【図６】一対の第１熱膨張性部材の位置関係を示す図である。
【図７】建具の防火構造を説明する図である。
【図８】上枠における左枠側の端部を室外側から見た図である。
【図９】上枠における左枠側の端部を下方側から見た図である。
【図１０】本実施の形態の変形例を示す図である。
【図１１】本実施の形態の変形例を示す図である。
【発明を実施するための形態】
【００１２】
以下に、図面を参照して、本発明を実施するための形態（以下、実施の形態）について説明する。なお、以下に説明する実施の形態によって本発明が限定されるものではない。さらに、図面の記載において、同一の部分には同一の符号を付している。
【００１３】
図１は、本実施の形態１に係る建具１を室内側から見た図である。図２は、建具１の上方側を示す縦断面図である。
なお、以下で記載する「見込み方向」は、図２の矢印Ａｒで示すように、建具１の奥行きに沿った方向である。見込み方向に沿った平面については、見込み面と称し、見込み方向に直交する平面については、見付け面と称する場合がある。
建具１は、引違い窓で構成され、窓枠２と、外障子３と、内障子４とを備える。
窓枠２は、本発明に係る枠体に相当する。この窓枠２は、上枠２１、下枠２２、図１中、左側に位置する左枠２３、及び図１中、右側に位置する右枠２４を四周枠組みすることによって構成され、建物の開口部Ｏｐの縁部に沿うように取り付けられる。
本実施の形態では、これら各枠部材２１〜２４は、合成樹脂製の押出形材であり、全長に亘って略一様な断面形状を有する。また、各枠部材２１〜２４は、略同一の断面形状を有する。そして、各枠部材２１〜２４は、当該各枠部材２１〜２４の長手方向に対して４５°の角度を成すようにそれぞれ形成された各小口２１ａ〜２４ａを有し、小口２１ａ〜２４ａ同士を突き合わせて溶着することにより四周枠組みされている（図１）。
なお、本発明の要部となる上枠２１の詳細な構成については後述する。
【００１４】
内障子４は、外障子３に対して室内側に位置し、窓枠２に対して図１中、左右方向に開閉移動可能に取り付けられている。この内障子４は、ガラス材等の面材４１と、框体４２とを備える。
框体４２は、上框４２１、下框４２２、戸先框４２３、及び召合せ框４２４を框組みすることにより構成され、内部で面材４１を保持する。
これら各框部材４２１〜４２４は、合成樹脂製の押出形材であり、全長に亘って略一様な断面形状を有する。また、各框部材４２１は、略同一の断面形状を有する。そして、各框部材４２１〜４２４は、当該各框部材４２１〜４２４の長手方向に対して４５°の角度を成すようにそれぞれ形成された各小口４２１ａ〜４２４ａを有し、小口４２１ａ〜４２４ａ同士を突き合わせて溶着することにより框組みされている（図１）。
【００１５】
外障子３は、窓枠２に対して図１中、左右方向に開閉移動可能に取り付けられている。この外障子３は、内障子４における面材４１及び框体４２（上框４２１、下框４２２、戸先框４２３、及び召合せ框４２４を含む）とそれぞれ同様の面材３１及び框体３２（上框３２１、下框３２２、戸先框３２３、及び召合せ框（図示略）を含む）を備える。
【００１６】
上述した外障子３及び内障子４において、戸先框３２３が左枠２３に当接するとともに、戸先框４２３が右枠２４に当接した場合には、外障子３の召合せ框（図示略）と内障子４の召合せ框４２４とが互いに係合する。そして、開口部Ｏｐは、外障子３及び内障子４にて閉塞される。この状態では、外障子３の召合せ框（図示略）と内障子４の召合せ框４２４との間は、クレセントＣＲ（図１）によってロック可能である。当該クレセントＣＲによりロックすることにより、外障子３及び内障子４は、開口部Ｏｐを閉塞した状態に保持される。
【００１７】
本実施の形態では、上枠２１の内部には、当該上枠２１を補強する補強部材５（図２）と、当該補強部材５とともに建具１の上端部側の防火構造を構成する遮炎部材６（図２）とが設けられている。
以下、上枠２１、補強部材５、及び遮炎部材６の構成について、順に説明する。
【００１８】
図３は、上枠２１を室外側から見た斜視図である。
上枠２１は、本発明に係る第１の枠部材に相当する。この上枠２１は、枠本体部２１１と、外壁部２１２と、内壁部２１３と、中央壁部２１４と、躯体固定部２１５と、内装材固定部２１６とを備える。
枠本体部２１１は、開口部Ｏｐの縁部に沿って延在した角筒形状を有し、見込み方向に沿って並ぶ端中空部２１７，２１９及び中央中空部２１８を備える。これら各中空部２１７〜２１９のうち、見込み方向の中央に位置する中央中空部２１８は、室外側及び室内側にそれぞれ位置する端中空部２１７，２１９よりも見込み方向の長さ寸法が大きく形成されている。そして、中央中空部２１８の内部に、補強部材５が設けられている。
【００１９】
外壁部２１２及び内壁部２１３は、枠本体部２１１における室外側の端部及び室内側の端部からそれぞれ下方側に延在した部分である。
中央壁部２１４は、中央中空部２１８における下方側の見込み面から下方側に延在した部分であり、外壁部２１２と内壁部２１３との間を見込み方向において２つの領域に仕切る。また、この中央壁部２１４は、当該中央壁部２１４の全長に亘って貫通した内周中空部２１０を有する。そして、内周中空部２１０の内部に、遮炎部材６が設けられている。なお、内周中空部２１０は、本発明に係る中空部に相当する。
【００２０】
ここで、外壁部２１２と、中央壁部２１４と、枠本体部２１１における下方側の見込み面とで構成されるＵ字状の溝部分には、外障子３の上方側の部位が収容される。すなわち、外障子３の上方側の部位は、中央壁部２１４と見込み方向に対向する。また、当該溝部分には、外障子３を閉じた状態とした際に、当該外障子３の戸尻側の部位（召合せ部分）と見込み方向に対向する位置に不燃性の吊り下げ金具７が設けられている。
吊り下げ金具７は、見込み方向に沿って延在する基部７１と、基部７１における室外側の端部から下方側に屈曲して延在し、さらに、先端部分が室内側に屈曲した鉤状部７２とを備える。そして、基部７１（吊り下げ金具７）は、中央中空部２１８における下方側の見込み面を構成する見込み壁部２１８ａを介して、補強部材５にネジＳｃ１にて固定される。
【００２１】
また、内壁部２１３と、中央壁部２１４と、枠本体部２１１における下方側の見込み面とで構成されるＵ字状の溝部分には、内障子４の上方側の部位が収容される。すなわち、内障子４の上方側の部位は、中央壁部２１４と見込み方向に対向する。また、当該溝部分には、内障子４を閉じた状態とした際に、当該内障子４の戸尻側の部位（召合せ部分）と見込み方向に対向する位置に不燃性の吊り下げ金具８が設けられている。
吊り下げ金具８は、見込み方向に沿って延在する基部８１と、基部８１における室内側の端部から下方側に屈曲して延在し、さらに、先端部分が室外側に屈曲した鉤状部８２とを備える。そして、基部８１（吊り下げ金具８）は、見込み壁部２１８ａを介して、補強部材５にネジＳｃ２にて固定される。
そして、吊り下げ金具７，８は、外障子３及び内障子４が火炎等により加熱されて溶融して下方側に移動した際に、当該外障子３及び内障子４の上端にそれぞれ設けられたフック金具３３，４３にそれぞれ係合する。すなわち、吊り下げ金具７，８は、外障子３及び内障子４の下方側への移動（脱落）を防止する機能をそれぞれ有する。
【００２２】
躯体固定部２１５は、枠本体部２１１（中央中空部２１８）における上方側の見込み面から上方側にヒレ状に延在し、ネジＳｃ３により建物の躯体（図示略）に固定される部分である。
内装材固定部２１６は、内壁部２１３における室内側の見付け面から室内側にヒレ状に延在し、窓枠２に対して室内側に並設される額縁等の内装材（図示略）に対してネジＳｃ４により固定される部分である。
【００２３】
補強部材５は、中央中空部２１８の内部に設けられている。この補強部材５は、上枠２１の全長と略同一の全長を有するアルミニウム等の金属製の部材であり、全長に亘って略一様な断面形状を有する。そして、補強部材５は、下対向部５１と、内対向部５２と、上方延出部５３と、上下接合壁部５４とを備える。
下対向部５１は、見込み方向に沿って延在し、見込み壁部２１８ａに対向する部分である。そして、下対向部５１には、ネジＳｃ１，Ｓｃ２がそれぞれ螺合され、当該ネジＳｃ１，Ｓｃ２を介して吊り下げ金具７，８が固定される。
上方延出部５３は、下対向部５１における室外側の端部から上方側に屈曲して延在し、中央中空部２１８における室外側の壁部に対向する部分である。
上下接合壁部５４は、下対向部５１における室内側の端部から上方側に屈曲して延在して下対向部５１と内対向部５２との室内側の端部同士を上下に繋ぐ部分であり、中央中空部２１８における室内側の壁部に対向する。
【００２４】
内対向部５２は、上下接合壁部５４における上方側の端部から室外側に屈曲して延在し、中央中空部２１８における上方側の見込み面を構成する見込み壁部に対向する部分である。この内対向部５２には、中央中空部２１８における上方側の見込み面を構成する見込み壁部を介して、ネジＳｃ５が螺合される。そして、このネジＳｃ５により、補強部材５は、上枠２１の上方側に設けられた連結金具９に固定される。
連結金具９は、見込み方向に沿って延在し、ネジＳｃ５にて補強部材５に固定される第１固定片９１と、第１固定片９１における室外側の端部から上方側に屈曲して延在する第２固定片９２とを備え、断面視Ｌ字形状を有する。そして、第２固定片９２は、躯体固定部２１５と建物の躯体（図示略）との間に挟み込まれた状態で、躯体固定部２１５とともにネジＳｃ３にて当該躯体に固定される。すなわち、補強部材５は、連結金具９を介して、建物の躯体（図示略）に固定されている。
【００２５】
図４は、遮炎部材６における室外側から見て左側の部位を示す斜視図である。図５は、遮炎部材６における室外側から見て右側の部位を示す斜視図である。
遮炎部材６は、本発明に係る被締結部材に相当する。この遮炎部材６は、内周中空部２１０の内部に設けられている。また、遮炎部材６は、アルミニウム等の金属材料で構成され、上枠２１の全長と略同一の全長を有する。そして、遮炎部材６は、遮炎壁部６１と、一対の補強片６２と、一対の取付片６３とを備え、断面視Ｕ字形状を有する。
遮炎壁部６１は、内周中空部２１０の長手方向に沿って延在する板体で構成され、内周中空部２１０の内部において、各板面が室内側及び室外側にそれぞれ向く姿勢で配設される。
一対の補強片６２は、遮炎壁部６１を補強する部分であり、遮炎壁部６１の上下の端部から室外側に屈曲して延在する。
一対の取付片６３は、一対の補強片６２のうち上方側の補強片６２を室外側から見て左方向及び右方向にそれぞれ延長した部分である。また、一対の取付片６３には、遮炎部材６の長手方向に沿って延び、ネジＳｃ６が挿通される長穴６３１がそれぞれ形成されている。そして、遮炎部材６は、見込み壁部２１８ａを介して、補強部材５に当該ネジＳｃ６にて固定される。なお、ネジＳｃ６は、本発明に係る締結部材に相当する。すなわち、本実施の形態では、遮炎部材６は、上枠２１の長手方向の両端側において、当該遮炎部材６の長手方向の両端側がネジＳｃ６により補強部材５（上枠２１）に固定される。
なお、遮炎部材６の取付方法については後述する。
【００２６】
以上説明した遮炎部材６は、その形状により、弾性変形可能に構成されている。より具体的に、遮炎部材６は、自重により、長手方向の両端側に対して中央部分が下方側に移動し、下方側に向けて凸状に湾曲可能とする。また、遮炎部材６は、長手方向の中心位置ＣＴ（図６参照）が外障子３及び内障子４にて開口部Ｏｐを閉じた状態とした際に、当該外障子３及び内障子４の戸尻側の部位（召合せ部分）と見込み方向に対向するように、内周中空部２１０の内部に収容されている。
ここで、遮炎部材６は、その下端部が内周中空部２１０における下方側の見込み面を構成する見込み壁部に当接し、自重により湾曲が規制されている。すなわち、遮炎部材６は、内周中空部２１０の内部に収容されている状態（中央壁部２１４（内周中空部２１０）が溶融していない状態）では、当該内周中空部２１０の内部において、略直線状となる姿勢で収容されている（図７の一点鎖線参照）。
【００２７】
また、遮炎壁部６１における室内側及び室外側の各板面には、加熱されることで膨張する第１熱膨張性部材（加熱発泡材）１１，１２がそれぞれ設けられている。
図６は、一対の第１熱膨張性部材１１，１２の位置関係を示す図である。具体的に、図６（ａ）は、遮炎部材６を室内側から見た図である。図６（ｂ）は、遮炎部材６を上下反転した状態とし、室外側から見た図である。
一対の第１熱膨張性部材１１，１２のうち第１熱膨張性部材１１は、遮炎壁部６１における室外側の板面において、外障子３を閉じた状態とした際に、当該外障子３の上方側の部位と見込み方向に対向する位置に設けられている。
一方、第１熱膨張性部材１２は、遮炎壁部６１における室内側の板面において、内障子４を閉じた状態とした際に、当該内障子４の上方側の部位と見込み方向に対向する位置に設けられている。
このため、一対の第１熱膨張性部材１１，１２は、遮炎部材６における長手方向の中心位置ＣＴを含む中央部分において、見込み方向に互いに重なり合った状態となる。
【００２８】
図７は、建具１の防火構造を説明する図である。
補強部材５は、中央中空部２１８の内部に設けられ、建物の躯体に固定されている。また、遮炎部材６は、内周中空部２１０の内部に設けられ、外障子３及び内障子４における上方側の部位と見込み方向に対向するとともに、補強部材５に固定されている。さらに、補強部材５及び遮炎部材６は、アルミニウム等の金属製の部材で構成されている。また、遮炎部材６における外障子３及び内障子４の上方側の部位と見込み方向に対向する面には、第１熱膨張性部材１１，１２がそれぞれ設けられている。このため、火炎等により加熱されて上枠２１が溶融した場合であっても、遮炎部材６と外障子３及び内障子４とが見込み方向に対向している。そして、第１熱膨張性部材１１，１２が加熱により膨張することで、遮炎部材６と外障子３及び内障子４との隙間は、当該第１熱膨張性部材１１，１２にて閉塞される。
また、遮炎部材６は、長手方向の両端側が補強部材５に固定されている。このため、火炎等により加熱されて上枠２１（中央壁部２１４）が溶融した状態では、遮炎部材６は、自重により下方側に向けて凸状に湾曲した状態となる（図７の二点鎖線）。すなわち、召合せ部分の上部において、遮炎部材６と外障子３及び内障子４とが見込み方向に対向する面積が大きいものとなる。このため、第１熱膨張性部材１１，１２が加熱により膨張することで、召合せ部分の上部において、遮炎部材６と外障子３及び内障子４との隙間は、当該第１熱膨張性部材１１，１２にて効果的に閉塞される。すなわち、本実施の形態に係る建具１では、召合せ部分の上部において、上枠２１と外障子３及び内障子４との間に貫通口が形成され難い防火構造を採用している。
【００２９】
次に、上述した遮炎部材６の取付方法について説明する。
図８は、上枠２１における左枠２３側の端部を室外側から見た図である。図９は、上枠２１における左枠２３側の端部を下方側から見た図である。
上枠２１の小口２１ａは、当該上枠２１の長手方向に対して４５°の角度を成すように形成されている。すなわち、内周中空部２１０の内部は、上枠２１の下方側（内周面側）から視認可能となる（図９）。
このため、作業者は、上枠２１の下方側からネジＳｃ６を内周中空部２１０の内部に挿入するとともに遮炎部材６の長穴６３１に挿通し、見込み壁部２１８ａを介して、補強部材５に締結する。これにより、遮炎部材６は、ネジＳｃ６により補強部材５を介して上枠２１に固定される。
そして、上枠２１及び左枠２３における小口２１ａ，２３ａ同士を突き合わせて溶着した状態では、小口２１ａが小口２３ａにて閉塞されるため、ネジＳｃ６は隠蔽される。
【００３０】
ここまで、本発明を実施するための形態を説明してきたが、本発明は上述した実施の形態によってのみ限定されるべきものではない。
図１０及び図１１は、本実施の形態の変形例を示す図である。なお、図１０及び図１１は、図８及び図９にそれぞれ対応した図である。
上述した実施の形態では、各枠部材２１〜２４は、小口２１ａ〜２４ａ同士を突き合わせて溶着することにより枠組みされていたが、これに限らず、図１０及び図１１に示した本変形例の構成を採用しても構わない。
具体的に、図１０及び図１１に示した本変形例に係る上枠２１の小口２１ａは、当該上枠２１の長手方向に直交するように形成されている。なお、他の枠部材２２〜２４の小口２２ａ〜２４ａも同様である。ここで、中央壁部２１４は、枠本体部２１１に対して、長手方向の長さ寸法が短く設定されている。そして、各枠部材２１〜２４は、横勝ちでビス等により四周枠組みされる。
【００３１】
なお、図１０及び図１１に示した本変形例において、遮炎部材６の取付方法は、以下の通りである。
遮炎部材６は、中央壁部２１４に対して、長手方向の長さ寸法が長く設定されている。このため、遮炎部材６は、一対の取付片６３が内周中空部２１０の外部に張り出した状態で、内周中空部２１０に収容される。すなわち、取付片６３は、上枠２１の下方側（内周面側）から視認可能となる（図１１）。
このため、作業者は、上枠２１の下方側からネジＳｃ６を取付片６３の長穴６３１に挿通し、見込み壁部２１８ａを介して、補強部材５に締結する。これにより、遮炎部材６は、ネジＳｃ６により補強部材５を介して上枠２１に固定される。
そして、各枠部材２１〜２４を横勝ちで四周枠組みした状態では、取付片６３の下方側が小口２３ａにて覆われるため、ネジＳｃ６は隠蔽される（図１１）。
【００３２】
上述した実施の形態及び当該実施の形態の変形例（図１０，図１１）では、小口２１ａ〜２４ａは、各枠部材２１〜２４の長手方向に対して４５°または９０°を成すようにそれぞれ形成されていたが、これに限らず、その他の角度を成すようにそれぞれ形成しても構わない。また、小口２１ａ〜２４ａは、各枠部材２１〜２４の長手方向に対して交差する平面にて切断された形状に限らず、曲面にて切断された形状や、室内側または室外側から見て段差を有する段付き形状になっていても構わない。
【００３３】
上述した実施の形態及び当該実施の形態の変形例（図１０，図１１）では、遮炎部材６は、ネジＳｃ６により補強部材５を介して上枠２１に固定されていたが、これに限らず、ネジＳｃ６により上枠２１に直接、固定しても構わない。また、遮炎部材６を省略し、ネジＳｃ６により補強部材５を上枠２１に固定する構成を採用しても構わない。この場合には、補強部材５は、本発明に係る被締結部材に相当する。
【００３４】
上述した実施の形態及び当該実施の形態の変形例（図１０，図１１）では、本発明に係る第１の枠部材として、上枠２１を例示していたが、これに限らない。例えば、枠部材２２〜２４や、各框部材３２１〜３２３，４２１〜４２４を本発明に係る第１の枠部材とし、当該第１の枠部材の内周面側から締結部材にて被締結部材を固定する構成を採用しても構わない。ここで、上框３２１，４２１の内周面側とは、上枠２１と同様に、下方側を意味する。下枠２２及び下框３２２，４２２の内周面側とは、上方側を意味する。左枠２３、戸先框３２３、及び召合せ框４２４の内周面側とは、図１中、右側を意味する。右枠２４及び戸先框４２３の内周面側とは、図１中、左側を意味する。また、本発明に係る第１の枠部材の数は、１つに限らず、複数（例えば、上枠２１と下枠２２との２つ等）としても構わない。さらに、本発明に係る第１の枠部材の材料は、合成樹脂に限らず、その他の材料、例えば、金属材料等を採用しても構わない。また、本発明に係る被締結部材として、遮炎部材６を例示していたが、これに限らず、本発明に係る第１の枠部材に対して締結部材にて固定される部材や部品であれば、その他の部材や部品を採用しても構わない。同様に、補強部材５についても、その他の部材や部品で構成しても構わない。
【００３５】
上述した実施の形態及び当該実施の形態の変形例（図１０，図１１）では、中央中空部２１８及び内周中空部２１０の内部にそれぞれ設けられた補強部材５と遮炎部材６とをネジＳｃ６にて固定していたが、これに限らない。見込み壁部２１８ａが設けられていれば、中央中空部２１８及び内周中空部２１０の少なくとも一方を省略しても構わない。
【００３６】
上述した実施の形態及び当該実施の形態の変形例（図１０，図１１）では、本発明に係る枠体を引違い窓に採用していたが、これに限らない。例えば、３枚以上の障子が左右方向にスライドする引違い方式の窓や両袖片引き窓や引き分け窓、枠体内の領域が縦骨により区分けされ、区分けされた一方の領域がＦＩＸ窓や壁をなす片引き窓、障子が上下方向にスライド移動する上げ下げ窓、障子が見込み方向に開閉するすべり出し窓、１枚の障子をはめ殺したはめ殺し窓、勝手口ドア、玄関ドア、あるいは、カーテンウォール等、各種の建具に本発明に係る枠体を採用しても構わない。
【符号の説明】
【００３７】
１  建具、２  窓枠（枠部材）、６  遮炎部材（被締結部材）、２１〜２４  枠部材、２１  上枠（第１の枠部材）、２１ａ〜２４ａ  小口、２１０  内周中空部（中空部）、Ｓｃ６    ネジ（締結部材）
【図１】
2018204355.tif 000003
【図２】
2018204355.tif 000004
【図３】
2018204355.tif 000005
【図４】
2018204355.tif 000006
【図５】
2018204355.tif 000007
【図６】
2018204355.tif 000008
【図７】
2018204355.tif 000009
【図８】
2018204355.tif 000010
【図９】
2018204355.tif 000011
【図１０】
2018204355.tif 000012
【図１１】
2018204355.tif 000013